【手続補正書】
【提出日】平成17年2月25日(2005.2.25)
【手続補正１】
【補正対象書類名】明細書
【補正対象項目名】発明の名称
【補正方法】変更
【補正の内容】
【発明の名称】文書データ検索装置及び文書データ検索プログラム、並びに文書データ検索方法
【手続補正２】
【補正対象書類名】明細書
【補正対象項目名】特許請求の範囲
【補正方法】変更
【補正の内容】
【特許請求の範囲】
【請求項１】
作成日時又は更新日時が異なる複数の文書データのなかから検索を行う装置であって、
前記複数の文書データを記憶するための文書データ記憶手段と、前記文書データの内容について類似度の時間的推移を示す特徴データを前記文書データ記憶手段の文書データから抽出する特徴データ抽出手段と、前記特徴データ抽出手段で抽出した特徴データに基づいて前記類似度の変化点を特定する変化点特定手段と、前記変化点特定手段で特定した変化点をもとに前記文書データ記憶手段のなかから前記文書データを検索する文書データ検索手段とを備えることを特徴とする文書データ検索装置。
【請求項２】
請求項１において、
前記文書データ検索手段は、前記変化点特定手段で特定した変化点又はその付近に属する文書データを前記文書データ記憶手段のなかから検索するようになっていることを特徴とする文書データ検索装置。
【請求項３】
請求項１及び２のいずれかにおいて、
前記変化点特定手段は、前記特徴データ抽出手段で抽出した特徴データに基づいて許容範囲を設定し、前記類似度の時間的推移のなかで前記許容範囲を超える点を前記変化点として特定するようになっていることを特徴とする文書データ検索装置。
【請求項４】
請求項１乃至３のいずれかにおいて、
前記特徴データ抽出手段は、前記文書データ記憶手段の文書データを所定期間ごとに区分し、各区分ごとにその区分に属する文書データの内容を併合した期間文書データを生成し、時系列上で隣接する期間文書データについて前記類似度を算出し、算出した類似度に基づいて前記特徴データを生成するようになっていることを特徴とする文書データ検索装置。
【請求項５】
請求項１乃至３のいずれかにおいて、
前記特徴データ抽出手段は、前記文書データ記憶手段の文書データを所定期間ごとに区分し、各区分ごとにその区分に属する文書データの内容を併合した期間文書データを生成し、生成した期間文書データの相互について前記類似度を算出し、算出した類似度に基づいて前記特徴データを生成するようになっていることを特徴とする文書データ検索装置。
【請求項６】
請求項４及び５のいずれかにおいて、
前記特徴データ抽出手段は、前記期間文書データの内容的な特徴を示す文書ベクトルを算出し、算出した文書ベクトルを比較することにより前記類似度を算出するようになっていることを特徴とする文書データ検索装置。
【請求項７】
請求項６において、
前記特徴データ抽出手段は、前記期間文書データを形態素解析し、各形態素ごとに前記期間文書データにおけるその形態素の出現頻度に応じた要素をベクトル量として有するベクトルを前記文書ベクトルとして生成するようになっていることを特徴とする文書データ検索装置。
【請求項８】
請求項４乃至７のいずれかにおいて、
前記特徴データ抽出手段は、前記各期間文書データに共通する内容を前記各期間文書データから除去し、除去を行った期間文書データに基づいて前記類似度を算出するようになっていることを特徴とする文書データ検索装置。
【請求項９】
作成日時又は更新日時が異なる複数の文書データのなかから検索を行うプログラムであって、
前記複数の文書データを記憶するための文書データ記憶手段を利用可能なコンピュータに対して、
前記文書データの内容について類似度の時間的推移を示す特徴データを前記文書データ記憶手段の文書データから抽出する特徴データ抽出手段、前記特徴データ抽出手段で抽出した特徴データに基づいて前記類似度の変化点を特定する変化点特定手段、及び前記変化点特定手段で特定した変化点をもとに前記文書データ記憶手段のなかから前記文書データを検索する文書データ検索手段として実現される処理を実行させるためのプログラムであることを特徴とする文書データ検索プログラム。
【請求項１０】
作成日時又は更新日時が異なる複数の文書データのなかから検索を行う方法であって、
前記複数の文書データを文書データ記憶手段に記憶する文書データ記憶ステップと、前記文書データの内容について類似度の時間的推移を示す特徴データを前記文書データ記憶手段の文書データから抽出する特徴データ抽出ステップと、前記特徴データ抽出ステップで抽出した特徴データに基づいて前記類似度の変化点を特定する変化点特定ステップと、前記変化点特定ステップで特定した変化点をもとに前記文書データ記憶手段のなかから前記文書データを検索する文書データ検索ステップとを含むことを特徴とする文書データ検索方法。
【手続補正３】
【補正対象書類名】明細書
【補正対象項目名】００６９
【補正方法】変更
【補正の内容】
【００６９】
これにより、所定期間ごとに文書データの関係を相互にみたときに、ユーザは、特徴のある部分を比較的容易に把握することができる。
この場合において、文書データ登録ＤＢ４４は、発明７の文書データ記憶手段に対応し、ステップＳ２１０は、発明７の特徴データ抽出手段に対応している。
【手続補正４】
【補正対象書類名】明細書
【補正対象項目名】００７１
【補正方法】変更
【補正の内容】
【００７１】
これにより、共通する内容を除去してから類似度が算出されるので、類似度を比較的実情に即したかたちで算出することができ、ユーザは、膨大な文書データのなかから特徴のある部分をさらに容易に把握することができる。
この場合において、ステップＳ２１０は、発明１０の特徴データ抽出手段に対応している。
【手続補正５】
【補正対象書類名】明細書
【補正対象項目名】００７６
【補正方法】変更
【補正の内容】
【００７６】
【発明の効果】
以上説明したように、本発明に係る発明１または２のデータ管理装置によれば、ユーザは、特定された変化点を参照することにより、膨大なデータのなかから特徴のある部分を比較的容易に把握することができるという効果が得られる。また、特徴データを複数のデータから抽出するので、専門家が構築したルールを蓄積する場合に比して、抽出の確実性を向上するのが容易であり、しかもユーザの要求に比較的即応することができるという効果も得られる。
【手続補正６】
【補正対象書類名】明細書
【補正対象項目名】００７７
【補正方法】変更
【補正の内容】
【００７７】
さらに、本発明に係る発明２のデータ管理装置によれば、ユーザは、特定された変化点を参照することにより、膨大な文書データのなかから特徴のある部分を比較的容易に把握することができるという効果も得られる。
一方、本発明に係る発明３ないし１０の文書データ検索装置によれば、ユーザは、検索により抽出された文書データを参照することにより、膨大な文書データのなかから特徴のある部分を比較的容易に把握することができるという効果が得られる。また、特徴データを複数の文書データから抽出するので、専門家が構築したルールを蓄積する場合に比して、抽出の確実性を向上するのが容易であり、しかもユーザの要求に比較的即応することができるという効果も得られる。
【手続補正７】
【補正対象書類名】明細書
【補正対象項目名】００７８
【補正方法】変更
【補正の内容】
【００７８】
さらに、本発明に係る発明４の文書データ検索装置によれば、変化点またはその付近に属する文書データが検索されるので、ユーザは、膨大な文書データのなかから特徴のある部分をさらに容易に把握することができるという効果も得られる。
さらに、本発明に係る発明５の文書データ検索装置によれば、変化点の特定を画一的に行うことができるので、変化点の特定が比較的容易となるという効果が得られる。
【手続補正８】
【補正対象書類名】明細書
【補正対象項目名】００７９
【補正方法】変更
【補正の内容】
【００７９】
さらに、本発明に係る発明６の文書データ検索装置によれば、文書データの関係を時系列上にみたときに、ユーザは、特徴のある部分を比較的容易に把握することができるという効果も得られる。
さらに、本発明に係る発明７の文書データ検索装置によれば、所定期間ごとに文書データの関係を相互にみたときに、ユーザは、特徴のある部分を比較的容易に把握することができるという効果も得られる。
【手続補正９】
【補正対象書類名】明細書
【補正対象項目名】００８０
【補正方法】変更
【補正の内容】
【００８０】
さらに、本発明に係る発明９の文書データ検索装置によれば、期間文書データにおける形態素の出現頻度に応じて類似度が算出されるので、類似度を比較的実情に即したかたちで算出することができ、ユーザは、膨大な文書データのなかから特徴のある部分をさらに容易に把握することができるという効果も得られる。
【手続補正１０】
【補正対象書類名】明細書
【補正対象項目名】００８１
【補正方法】変更
【補正の内容】
【００８１】
さらに、本発明に係る発明１０の文書データ検索装置によれば、共通する内容を除去してから類似度が算出されるので、類似度を比較的実情に即したかたちで算出することができ、ユーザは、膨大な文書データのなかから特徴のある部分をさらに容易に把握することができるという効果も得られる。
一方、本発明に係る発明１１または１２のデータ管理プログラムによれば、発明１のデータ管理装置と同等の効果が得られる。
【手続補正１１】
【補正対象書類名】明細書
【補正対象項目名】００８２
【補正方法】変更
【補正の内容】
【００８２】
さらに、本発明に係る発明１２のデータ管理プログラムによれば、発明２のデータ管理装置と同等の効果も得られる。
一方、本発明に係る発明１３の文書データ検索プログラムによれば、発明３のデータ管理装置と同等の効果が得られる。
一方、本発明に係る発明１４または１５のデータ管理方法によれば、発明１のデータ管理装置と同等の効果が得られる。
【手続補正１２】
【補正対象書類名】明細書
【補正対象項目名】００８３
【補正方法】変更
【補正の内容】
【００８３】
さらに、本発明に係る発明１５のデータ管理方法によれば、発明２のデータ管理装置と同等の効果も得られる。
一方、本発明に係る発明１６の文書データ検索方法によれば、発明３のデータ管理装置と同等の効果が得られる。